(57)【特許請求の範囲】
【請求項１】
インターネットやイントラネットを通じた  クライアント端末と、
当該クライアント端末のリクエストに従い、HTMLで書かれたページを表示するためのＷＷＷ表示用サーバーと、
外部コマースサイト（Ａ）と内部コマースサイト（Ｂ）のコンテンツをトップページから自動的にたどりながら当該ホームページのリンク構造体系自体を分析し、かつ各ページ構造を自動分析しながら、同じ構造体系の静的ＨＴＭＬページの状態として自動的に取り込むことを可能とするクローリングシステムと、
外部とのトランザクションをトラッキングするために、表示トラッキングシステム、トランザクショントラッキングシステム、プロキシーサーバー、トラッキングデータを分析保管するためのトラッキング分析サーバー、トラッキング分析データベース、からなるトラッキング関連システム一式と、
クローリングによって当該外部コマースサイトから取得したり、もしくは当該コマースサイトからオンラインもしくはメディア（ＤＶＤ，ＣＤ−ＲＯＭ等）を利用してオフラインによって取得した、静的HTMLコンテンツをリンク体系を維持したまま保管するためのHTMLコンテンツデータベースと、
当該HTMLコンテンツデータベースを元に都度最適な構造を有した最適化構造化HTMLコンテンツを保管するためのデータベースと、
当該最適構造化HTMLを生成するために動的コンテンツと都度生成されるべき静的コンテンツを統合的にコントロールするコントロールマネージャー、実際に最適なリンク体系を生み出しかつ最適なページ構成を生み出す為のＭａｋｅロボット、最適に構造化されて生成されるＨＴＭＬコンテンツを表示用サーバーに出力するＰｕｔロボットからなる構造化HTML生成システムと、
メールサーバー、アフィリエイトエンジンシステム、モバイルサーバー、Paid Listingサーバー、Alertシステム用サーバー、マルチメディア表示用システム、コールシステムからなる表示用サーバー群と、
当該構造化HTML生成システム及びその他の当該表示用サーバー群に対して、トラッキング分析サーバーからの情報に基づき、ＳＥＯ（Search Engine Optimization）ルールデータベース及びマーケティングルールデータベースに記録されているルールに基づき、自動的及び手動入力に従いマーケティング表示コントロールするための自動的に知的に判断し制御するシステムである自動インテリジェントコントロールシステム（３）と、手動による指示を実行するためのプラットフォームである手動オペレーションプラットフォーム（２）を有するマーケテングコントロールシステム（１）とからなるIntegrated Intelligent ＳＥＯ Transaction Platform（統合インテリジェントＳＥＯトランザクションプラットフォーム以下、当該トランザクションプラットフォームという）であり、
トラッキング結果に基づく分析内容に基づいて、自動的に自動インテリジェントコントロールシステムが機能し、最適なＳＥＯが実現できるように、既に記憶されているＳＥＯルールデータベースに従って、構造化HTML生成システムを自動的に作動させ、最適に構造化されたHTMLコンテンツ群を生成し、それを格納し、それに基づきWWW表示サーバーから当該トランザクションプラットフォームの運営するサイト上で出力することを可能とし、かつ同時に当該外部コマースサイトのコマース表示サーバー（１７）に戻すことにより当該外部コマースサイトにて最適ＨＴＭＬ構造化ホームページとして表示することを可能とすることを特徴とするシステム。
【請求項２】
外部にあるコマースサイト（Ａ）と当該トランザクションプラットフォーム内部に保管されているコマースサイト（Ｂ）のサイト内部のコンテンツを平等に扱い、当該トランザクションプラットフォームの外にあっても、当該クローリング機能を活用することによって、HTMLコンテンツを同プラットフォーム内部に取り込み、ＨＴＭＬ構造化の対象とすることを特徴とする請求項１記載のシステム。
【請求項３】
当該トランザクションプラットフォームの外にあってもトラッキング用モジュールとトラッキングシステムが連動することによって、当該コマースサイトにおけるトランザクション量をプラットフォームが都度刻々と把握することが可能であり、そのトラッキング分析内容が即時にマーケティングコントロールシステムに伝達され、ルールに基づく自動操作もしくは手動の指示、命令に従いながら、その分析内容に基づいてマーケティング効果がもっとも上がるようにコントロールシステムが機能し、ＳＥＯが可能となるように最適な構造化ＨＴＭＬを生成することを可能とし、かつ同様に最適な変換を行い各種マルチメディアコンテンツを生成し各表示用サーバー群に対して送出することを特徴とする請求項１記載のシステム。
【請求項４】
手動オペレーションを可能とする機能を有しつつも、特に実際のトラッキングデータを都度自動的に解析しながら、既に記憶されているＳＥＯに関するルールに従いながら、ＳＥＯを自動的に実行するために、最適な構造化HTML生成システムを自動的に実行することを特徴とする請求項１記載のシステム。
【請求項５】
当該メールの開封率や、アフィリエイトサイトからの誘導数や発生トランザクション数や、携帯端末からのリスポンス率や、Alertシステムからの反応率やトランザクション率や、PDA，デジタルテレビなどのマルチメディア端末からの反応率、PAID LISTINGに対する反応率等のマーケティングに拘わるデータを自動トラッキングしながら、検索エンジンにより多く検索対象となるように自動的に最適なHTML構造化を実行することが可能となることを特徴とする請求項１記載のシステム。
【請求項６】
逆に、自動的にＳＥＯが実行されWWW上で表示されるHTMLコンテンツの階層構造が構造化HTML生成システムにより自動的に変換されることに連動して、ルールに従って、メールやAlertシステムに表示されるべきマルチメディアコンテンツを自動的に変換することが可能であり、HTML上のコンテンツの状態と同じように変換された状態で、そのコンテンツは一旦マルチメディアコンテンツ対応データベースに格納された後に各種表示サーバー群に送出することを特徴とする請求項１記載のシステム。
【請求項７】
構造化HTML生成システムとトラッキング分析システムとマーケティングコントロールシステムが有機的密接に連携することによって、当該サイトの特定ページが外部検索エンジンに検索される可能性をより高めるために、動的ページ静的ページの最適な組み合わせを作り上げること、リンク体系をかえること、またはテンプレートを用いてページ構成を自動的に、もしくは人の介入による手動操作によって変更することが可能となることを特徴とする請求項１記載のシステム。
【請求項８】
関連するコマースサイトにおけるトランザクション量を測定するトラッキングシステムと連動して、従来のノウハウを元にルール化したものを蓄積しているルールデータベースに基づいて自動的及び手動的に、当該コマースサイトのリンク体系構造を変えたり、動的ページ、静的ページの混在する状態を変化させたり、テンプレートを適用するなどによってページ構成を変化させることにより検索エンジンによって検索対象となる可能性を高めることを可能とすることを特徴とする請求項１記載のシステム。
【請求項９】
クローリングシステム及び構造化HTML生成システムによって外部コマースサイトの当該ホームページをＳＥＯの為に最適な構造化ＨＴＭＬに変換した後に、変換後の最適構造化ＨＴＭＬコンテンツを当該外部コマースサイトのコマース表示サーバーに戻すことで、当該サイトの表示を最適ＨＴＭＬ構造化ホームページの状態として表示することを可能とし、かつ構造化ＨＴＭＬ生成システムがＳＥＯの為にリンク体系を変換した場合に、外部コマースサイトにおける商品データベースに対して指示を出し、変換後のリンク体系と同期をとりながら動的ページ体系をも変換することを可能とすることを特徴とする請求項１記載のシステム。
【発明の詳細な説明】
【技術分野】
【０００１】
トラッキング結果に応じて自動的に検索エンジンに最も効率的に検索可能とするようにするための、検索エンジン最適化、いわゆるＳＥＯ（Search Engine Optimization）を自動的に実行することを可能とするシステムである。
特に、自動クローリング（ロボット検索エンジンがスパイダーと呼ばれるプログラムを作動してホームページを巡回すること）による自動方法もしくはＣＳＶ等の手動による方法により当該トランザクション・プラットフォーム内部にＨｙｐｅｒ  Ｔｅｘｔ  Ｍａｒｋｕｐ  Ｌａｕｎｇｕａｇｅ（以下HTMLと呼ぶ）のコンテンツを格納させた後に、構造化HTML生成システムを連動させることにより、さらに、トランザクションを刻々と把握することを可能とするためのトランザクション・トラッキングシステムを動かし連動することによって、自社サーバー内部にＳＥＯの対象となるべきコンテンツが存在しない外部コマースサイトに対しても、最適のＳＥＯを時々刻々と可能とするシステムであり、その最適ＨＴＭＬ構造化されたホームページを元の当該外部コマースサイトに戻し当該サイトにおいて表示したり、もしくは当該トランザクション・プラットフォーム運営者上のウェブサイトにて表示することを可能とするシステムである。
つまり当該ホームページのシステムにほとんど変更を加えることなく、かつデータベースと連動して表示する動的ページと同期を取りながら都度最適にリンク構造、ページ構成を変換することでＳＥＯを実行することを可能にするようなプラットフォームに関する発明である。
さらに、その自動的ＳＥＯによって新たに変換された構造化HTMLと同じ階層構造になるように、例えば携帯上のコンテンツなどのマルチメディア・コンテンツに対しても、同様に自動的な階層構造等の変換を実行することを可能とし、通常のコマースサイトに関してマーケッティング機能を充実するために色々な表示方法を可能とする各種表示サーバー群との連動を可能とするシステムに関する発明である。
【背景の技術】
【０００２】
従来のＳＥＯ技術としては次のようなものがある。
１）アフィリエイトシステム
アフィリエイトエンジンを有することにより、アフィリエイトサイトとコンテンツプロバイダーサイトを結び、アフィリエイトサイトから人を当該コンテンツプロバイダーサイトへ導き、そこでできるだけ多くの取引（トランザクションと呼ぶ。）を実際に行わせることを目的とし、その誘導数と実際のトランザクション数を常時測定するシステムがある。当該エンジンがトランザクション量を常に測定し、それに基づき手数料として、トランザクションの量に応じて当該コンテンツプロバイダーからある額を徴収し、その一部をアフィリエイトサイトへ支払うことが通例である。このシステムによって、アフィリエイトサイトは色々な工夫をして当該コンテンツプロバイダーにできるだけ多くの人を導き、また色々な工夫をすることによって、できるだけ多くの人を当該コンテンツプロバイダーサイトへ導くだけではなくて、そのサイトで実際に買い物、資料請求、予約、入札参加、入力等のなんらかのトランザクションを行ってもらうように実行する。その努力に基づき実際に発生したトランザクション量をベースに当該アフィリエイトサイトへの手数料として、アフィリエイトエンジン運営者は支払いを実行する成功報酬型システムである。
【０００３】
２）各種トラッキングシステム
あるウェブサイトへ人を誘導したあとに、その当該ウェブサイトでのトランザクション量を測定するためには、色々な技術が考察されている。コンテンツプロバイダーが例えばインターネットショッピングのような電子商取引のサイトの場合、受注金額をトラッキングする必要があるが、この受注行為を制御する受注処理サーバーの中にある特定のプログラムを埋め込むことによって、アフィリエイトエンジン等にデータを返すことを可能とするシステムが各種知られている。色々なトラッキングシステムが知られていて、誘導元のプロキシーでトラフィックを把握して、そのプロキシーを一端通過した信号をその後も継続的に把握トラッキングすることを可能とするシステムや、誘導先のサーバーでトランザクション処理を行う部分に、トラッキング用のモジュールを埋め込んでおき、そこから実際トランザクションに応じたトラッキング信号を誘導元へ戻す方法などがある。中には、誘導元のサイトで、クッキーを焼いてしまい、誘導先でトランザクション量を把握する部分で信号を誘導元サイトへ戻すような方法をとる簡易なトラッキングシステムもある。
【０００４】
３）Ｃｌｏｓｅｄ（閉じた）モデルのショッピングモール
いわゆる古くからあるようなショッピングモールのことで、出店ショップが自社のコンテンツをモール側サーバーのデータベースに格納し、かつ、当該ショップだけがアクセスできる管理ページを操作することが可能で、当該モールを通しての売上げ受注情報なども全て、そのサーバーに格納されている受注データベースにて把握されるような仕組みのショッピングモールが広く知られている。
コンテンツも顧客データ、受注データも全て、当該ショッピングモールに預ける形で、自社のホームページはあくまでも、当該ショッピングモール内の一部分としてのページに表示される形のシステムである。多くのショッピングモールにおいては、当該自社ホームページから外へのリンクを厳しく禁じるものなどがある。
従って、たとえば、電子商取引の運営者の場合、自社のホームページを持っていて、ショッピングモール内の自社該当ページから、その自社ホームページへの外部リンクさえ禁じている場合もあった。このように完全に禁じるものを含み、受注処理及び受注データまでをショッピングモール内サーバーにて完結させる方式のものが、いわば「閉じたモデルのショッピングモール」と考えられている。
【０００５】
４）リンク出店ショッピングモール＝リンク形式モール
一方、よく知られているポータルサイトの場合、ショッピングモールといいながらも、上記の「閉じたモール」とは異なり、単純にリンクして自社もしくは他のサイトへリンクし、受注処理を当該モールの外で実行させる方式のように、いわゆる「リンク型出店のモール」がある。広く知られるアマゾンドットコム、ヤフーショッピングモールも上記３）の閉鎖型ショッピングモールと本リンク形式モールの混在の形で、ショッピング部分を構成している。
つまり、コンテンツや受注処理（バスケット部分）、受注データまで、当該ショッピングモール内のサーバーで処理、記憶する形式のいわゆる「閉じたモール」部分と、コンテンツの一部または全部が当該サイトに載っているものの、そこから先の説明や受注処理（バスケット処理）、受注データ保存を他の運営者のサイト、サーバー内にて行う、いわゆる「リンク形式モール」との混在にて、外見上一貫したショッピングモールを構成するケースが多くある。
【０００６】
５）ＳＥＯ（Search Engine Optimization）技術
現在まで便利で優秀な検索エンジンの存在は広く知られており、そうした検索エンジンサイトにおいて多くの消費者が関心のある単語（キーワード）を入力して関連サイトを検索し探すことが日常広く行われている。
実際に電子商取引の運営者から見た場合に、現時点状況ではこうした検索エンジンサイトから、実際のトランザクションにつながる自社のウェブサイトへ訪問する人の数は非常に多く、自社ホームページ上のコンテンツが検索エンジンに検索結果の上位に表示させることが大きな課題となっている。この技術がSearch Engine Optimization（ＳＥＯ）である。
例えば、データベースを検索するような動的ページは比較的検索エンジンに検索されづらく、単純なHTMLで構成されている静的なページの方がよく検索されるという事実を活用したり、よく検索の対象となるようなページは閲覧が多いページからのリンク数が多いという事実を活用したり、色々なテクニックを総合してＳＥＯと称することがある。
現時点では、ＳＥＯ技術を用いれば必ず色々な検索エンジンサイトに、そのページが検索されて表示されることを保証するものではなく、プラットフォーム化されているものや、まだノウハウとしてしかないものや、まだ仮定レベルのものなど色々ある。
【０００７】
６）ＡＩ（人工知能：Artificial Intelligent）利用した電子商取引のプラットフォーム
ＡＩを詳細に用いたショッピング機能のプラットフォーム、つまり電子商取引のプラットフォームも知られている。これは例えば、ある商品が多く表示され多くの人が訪れ始めるとＡＩの中のルールに従って、その商品をより目立つ上部に表示するとか、あるいは会員登録している場合、その会員の事前登録情報や条件に従って、その商品に関連する情報をその会員のコンピュータへのメールや携帯電話へのメール、デスクトップにダウンロードしてインストールしているツールに表示していく等のいわゆるお知らせ機能（＝アラート機能）やメール配信機能等がある。また例えば、ある座席予約システムにおいて、その座席の予約状況を刻々と表示するにあたり、ある種の条件やルールを事前に登録しておくハードディスクと連動しておき、当該ＡＩがそのルール、条件に従って、刻々と表示やメール配信を実行していくような機能を持っていることがある。そのようなＡＩを使用した電子商取引のサイトが広く知られている。
【０００８】
７）HTML構造化及び動的静的ページ統一管理システム
上記５）に関連し、また高トランザクションの処理において動的ページへの頻繁なるアクセスによるデータベース処理の問題を解決するためにも、サイトのページ構成を分析して、これをHTMLを主とする「静的ページ」と、データベースや他プログラムを一体となって動く「動的ページ」の２種類のページを最適に組み合わせて表示するための、「HTML構造化及び動的静的ページ統一管理システム」がある。
データベースと直結する動的ページを中心に構成されているサイトの場合、多くの検索エンジンには検索対象としてひっかからないことが多いが、このシステムの「動的静的ページ統一管理機能」を用いることによって、サイト全体を動的ページと静的ページの混在化したものに変えることができ、それによりＳＥＯを行うことができる。
かつ、例えば頻繁に参照されるようなある動的ページなどは、最初から静的ページにしておいて、これをさらに最適なツリー構造の中に組み込みなおすことによって、サイト全体をＳＥＯに最適な構成に組みなおすことができる。逆に、こうしたシステムを用いなければ、データベース直結の動的ページを中心に構成されているようなサイトは、本来全部作り直すような大変な手間がかかるものであるが、ＳＥＯやデータベースへの負荷等を考えながら最適な形に容易にバランス取りながら構成しなおすことができる。
【０００９】
８）マーケティング機能を豊富に完備しているショッピングモール
この申請時点においても様々な機能を完備しているショッピングモールが存在している。この多くのものは、上述３）のものが中心であるが、一旦このショッピングモールに載ったら、このショッピングモールが持っている豊富なマーケティング機能を使用可能というものが多くある。例えば、当該出店者だけがアクセス可能な管理ページを使用し、ここを通して、次の様なマーケティング機能を活用することができる。
【００１０】
ａ） メール配信：モール内に保存している顧客データベースを活用しつつ、その全部又は一部の顧客に対してメール配信することが可能である。これを通称「メルマガ（メールマガジン）」と呼ぶので、メルマガ配信機能のことである。さらに、どのくらいの人またはどのような属性の人が配信したメルマガを開封し、どのコンテンツに対してクリックし、かつその先の購買につなげたか、等を分析できる機能を有していることもある。
【００１１】
ｂ）アフィリエイト機能
モールの一部機能として、当該ショッピングモールが持っているアフィリエイトエンジンを通しアフィリエイトサイトに対して、出店各社が自社の商品等をアピールし、当該商品等を当該アフィリエイトサイトにおいて上手に目立つようにしてもらい、そこで間接的に販売をしてもらうことが可能な機能を有する場合がある。
【００１２】
ｃ） 携帯端末との統一的電子商取引の制御
本申請時点の現時点においてもショッピングモールはComputer（PC）以外の各種端末上でのショッピング等の行為を行えるように、PCとそれら端末からの入出力を統一的に制御することが可能なようにプラットフォームが創られている。つまり、携帯電話、PDA、TV、家電その他の機器で、インターネット等のネットワークにつながれているものをPCと全く同じように、統一的に制御することができるようなショッピングのプラットフォームである。
【００１３】
ｄ）トラッキング解析機能
ショッピングモールには、どこからどれだけの人が来て、その人がどのような行動をしたかを見て、どのくらい買い物したかを緻密に分析することを可能とする機能があるのが通例である。
【００１４】
ｅ）ＳＥＯ機能
モールの中には、ＳＥＯを可能とするような仕組みを有しているところもある。ただし、このＳＥＯ技術は先述のように、プラットフォーム自体に組み込まれている技術と、ノウハウとして人に帰属しているものとがあり、特に後者はショッピングモール運営者が操作して発揮できるものと、コンテンツを実際に有しているショップが自らの努力によって発揮していくべきものとがある。いずれにせよ、独立したホームページにて単独のショップを運営する場合に比べて、程度の差こそあれ、色々なＳＥＯ技術がプラットフォームにある程度含まれているショッピングモールというのが存在している。
【００１５】
９）リンク先の行動をトラッキングするシステム
リンク先のサイトにおいて、当該サイトに誘導された人がどのような振る舞いを実行し、（どのようなページを見たり閉じたりして）、どのような取引（トランザクション）を行ったかと把握することを可能とするために、いくつかのトラッキングシステムを有するショッピングモールが存在している。
【００１６】
ａ）プロキシー型：例えばポータルやリンク型ショッピングモールからリンクされる目的地のサイトにおいて、誘導された人がどのような振る舞いをして、どのような取引（トランザクション）を行うかを、誘導元のサイトのサーバーにこのプロキシー型のトラッキングシステムを埋め込んでおくと、そこを一旦通過したあともずっとその先のサイトでの振舞いを把握することが可能となる。
【００１７】
ｂ）埋め込み型：誘導先のサイトのトランザクションを実際に処理実行する側のサーバーにこのトラッキングシステムを埋め込む、そこで起きるトランザクションの詳細を全て把握してその詳細情報を誘導元のサイトに返すことが可能なシステムである。これは埋め込み、実際に機能するのにかなりのテスト等の時間と労力が必要となる。
【発明の開示】
【発明が解決しようとする課題】
【００１８】
閉じたモールの課題
通常のショッピングモールはCLOSED型であり、「閉じたモール」であるのが通例である。出店者から見た場合は、自社のホームページがある場合においても、そこでのバスケット（受注処理）や自社の顧客データベースとは切り離した形で、ショッピングモール側で処理、保存する必要があった。しかし、これは電子商取引のが発展していくにつれて、ショッピング処理と裏側のロジスティックな部分、つまり在庫管理、配送管理、会計処理、ひいては会社の財務関係への密接なつながりがより一層必要となり大きな課題となっていく。そのなかで、こうした自社の裏側のシステム全体とより密接したショッピングサイトを構築する必要があるにもかかわらず、閉じたショッピングモールへ参加し続けることは自社のサイトから切り離されたと所でバスケット、受注データベースを動かさないといけないため、大きな問題となっていく可能性がある。
【００１９】
ショッピングモール運営者の立場でいくと、自社のサイト内部に他社（出店者）のコンテンツを閉じ込めてしまい、外のリンクさえ許さず、かつ店に独自のバスケットなど使用させず、飽く迄もショッピングモールとしての共通のバスケットを使用させ、顧客データベースもショッピングモール内部にしかないような状態にしておく、つまり完全に「閉じたモール」を構成することは、そうした自社の立場だけを考えると有利で、便利であり、都合がいいことは言うまでもない。
しかし、そもそも出店者の中には、先述のようにモール内部のホームページでのショピング販売事業以外に、自社の独自のホームページにおけるショッピング機能をより発展させて、自社内部にある貴重な顧客データベースや、自社内部の会計処理、在庫処理、運送処理、人的リソース管理等との密接なる連動の方向に向けていきたいと考えている出店社（ショップ）も多くある。
むしろ、ショッピングモールにおける、上記８）のように多くにマーケティング機能とモール全体が生み出す大きいトラフィック、つまり集客力に魅力を感じながらも、そのように完全に閉じているモールの限界を感じているショップが多くなる方向性さえ現時点考えられている。事実、「閉じたモール」ではそうした方向性に対して、融通性を持っていないと言える。
【００２０】
独立したサイトの課題
一方、独立したホームページを主体的に電子商取引のの中心にすえる会社においては、次のような課題を抱え続けることになる。これらのことを全て各社が自分たちだけで解決することは大変な負担になる。また実際にこれらの項目は全て電子商取引の分野の最先端のノウハウはプラットフォームに拘わる部分であり、それを独立している各社が自分で全て研究して都度対応していくということは容易なことではないという問題がある。さらにこうした部分のノウハウが凄まじいスピードで陳腐化していくということもこの業界の通例のことであり、そのスピードに独立している各社が独自の勉強によってついていくということは非常に大変なことである。次の項目は、ほんの一例である。
ａ）電子商取引のに必要な色々なマーケティング機能をどのように準備すべきか。
・メール配信機能、その分析機能。
・アフィリエイト機能：どのように多くのアフィリエイトサイトを持ち、関係をつくり、アフィリエイトネットワークを築くか。
・各種集客機能：オークション、逆オークション、コミュニティーシステム等をどのように作り、どのように生かしていくか。
ｂ）どのように効率よく集客するか。これが最大の悩みであり、最も難しい課題である。
ｃ）ＳＥＯ対策：どのようにしたら自社のホームページを検索エンジンの検索結果の上位に表示させるか。
【００２１】
ＳＥＯに関する課題
（１）アクセス数の多いページからのリンク
１）上記のように、検索エンジンに高確率で検索結果に上位表示されるようになるためには、色々な工夫が必要であり、それが単独のホームページとしてできるものとかなり困難なものがある。
特に、検索上位対象ページというのは、そのページがアクセスの多いページからのリンクとアクセスがあることが必要であり、また多くの外部サイトからリンクが多いことが必要である。これをアフィリエイトネットワークを持たない会社の単独のサイトにおいて、それを実現するには限界がある。
つまり、アクセスの多い会社を訪ね、そこと交渉し、その会社のホームページから的確にリンクを張ってもらうことの許可を得て実行までこぎつけることは容易でなく、もしそれを多数のサイトと交渉するようなことは困難である。
【００２２】
２）サイト内部のあるコンテンツへのアクセスをなんとか急増させて、そこから検索対象にしたい当該ページへのリンクを張ることで、上述のＳＥＯ条件である「アクセスの多いサイトからのリンクが多いこと」という条件を満たそうという方法に関しては、既に様々な試みが知られている。
しかし、単独のサイトで実行できることには限界がある。
【００２３】
３）そこにショッピングモールの意義がある。つまり、多くのショップが出店することで当該ショピングモールは多くのアクセスを持つことになり、一種の「大群化効果」というべきものが生まれ、一社でアクセスを集めるよりも、多くの店で共同して客を呼び集めることが可能となる。そのため、例えばトップページのようにアクセスが頻繁にある重要なページから、検索対象にしたいページを的確にリンクさせることによって、上記１）の条件が満たされることになる。または、トップページではなくても、例えば同じサイト内部のアクセスの多い重要なページに当該ページをリンクさせることによって、その検索エンジンはそのアルゴリズムによって当該ページをより重要なページと認識する可能性が高まり、それに従って当該ページがより上位に高確率で検索される可能性が高くなる。
【００２４】
（２）ＨＴＭＬ化について
ａ）検索エンジンの検索対象とするためには、できるだけ対象のページをHTMLの静的な画面にしておくことが望ましい。
しかし、例えばサイトの構成において、通常はデータベース内の刻々と変化するデータに応じて都度構成される動的なページをプログラムとともに表示する、といった方法によってホームページ、特に電子商取引のサイトを構築していることも通例である。そのような通例の場合においては、動的なページである為に、なかなか検索エンジンにひっかからず検索結果に出てこないといった大きな欠点があることが判明している。
その欠点を克服し、当該サイトの多くのページを検索対象ページにすることができるようにするために、全部もしくは一部のページを本来の動的ページにおけるリンク体系を維持しながら、いわばサイト構造を維持しながら、静的なページを的確に混合させながらサイト構築を行う必要がある。その為に上記のように「HTML構造化生成及び動的静的ページ統一的制御システム」が知られている。
しかし、このシステムは通常数台のサーバーを物理的に使用することが通例であり、規模が比較的大きいため、各電子商取引ののホームページにおいてこのシステムを導入することは、費用及び手間、困難さを考えると、一つ一つの単独のサイトにおいて導入することは現実的ではない恐れがある。
【００２５】
一方ショッピングモールは、多くの出店者が共通してプラットフォームを使用することになるので、大型のシステムでも共通して使用することで費用や手間を参加者で分担する形で負担することが可能である。つまり、ショッピングモールがこの「HTML構造化生成及び動的静的ページ統一的制御システム」を保有している場合は、多くのショップがこのシステムを共通して使用することにより、各ショップのコンテンツが効率よくHTML構造化することができる。
しかし、一方で外部コマースサイトとして独立を保ちながらＨＴＭＬ構造の最適化を実行していき、かつ本発明のような当該プラットフォーム運営者のサイトに出るのではなくて飽く迄も自社の外部コマースサイトにのみ表示したいが、そうした構造化ＨＴＭＬ生成システムのようなシステムを自社で用意できないといった場合は、やはり当該トランザクションプラットフォーム運営者のサイトにのるしかないのが通例であった。
【００２６】
ｂ）この「構造化ＨＴＭＬ生成システム」を用いない場合で自社ホームページやコマースサイトを動的構成から静的構成にしようとした場合、ＵＲＬにhtml拡張子をつけるような手段があるが、この場合は自在にリンク体系を変えることを可能にするものでは全くなく、ＳＥＯを実行するためにリンク体系を自在に変えるようなことは困難である。従ってＨＴＭＬ化を実行したとしてもＳＥＯ的な効果という観点からは全く不十分である。また当然
自社サイトをＳＥＯしたいと考えて構造化ＨＴＬＭ生成システムを自社サイトに構成しようとした場合は相当に大変な作業が必要となる。既にデータベースと連動している動的ページ体系のサイトに対して抜本的に変更を加えたりすることなく比較的簡単に、かつ従来のシステムに抜本的な変更を加えることなく静的体系に変換することを可能としつつ、かつデータベースも同期をとりながら変更していくにはどうしたいいのか、という問題は大きな課題であった。
【００２７】
リンク出店の場合の課題
一方、トラフィックの多いサイトが単純にリンク集を作るような形式で、独立している外部の電子商取引のサイトへリンクを行う形の「オープンなリンク型のショッピングモール」においては、確かにそうしたトラフィックの多いページからの当該電子商取引のサイトへの集客が可能となる。しかし、この場合は出店ショップ側は独力でＳＥＯや電子商取引のの様々な対応を独自で行わなければならず、モール側で操作できることというのは、リンクの方法を様々かえることにすぎなかった。つまり、モール側でＳＥＯ対策をする場合においても、モール側にコンテンツがそもそもないということがあり、非常に限定的なことしかできなかったという限界があった。
【００２８】
また、受注データはリンク先の独立した電子商取引のサイト側にしかないのが通例であり、この結果とモール側でより大きな集客を図るために各種企画とは全く無関係に独立しているのが通例であった。従って、このリンク型においては、リンク先の当該電子商取引のサイトへ潜在顧客を誘導することが主目的であって、当該電子商取引のサイトにおいて実際にどのような取引（トランザクション）が行われたかをしるようなモールは存在しなかった。仮にリンク先での実際のトランザクション量を把握する仕組みがあったとして、それに基づいてＳＥＯやその他マーケティングの為の機能を自動的に連動させるようなプラットフォームを具備したリンク型のモールというのは存在しなかった。手動で連動させる場合においても、ＳＥＯを含みマーケティング機能を容易に統一的に完全にコントロールすることを可能とするようなプラットフォームを具備したリンク型のショッピングモールというのは存在しなかった。
【００２９】
トラッキングの課題
先述のようにトラッキングシステムには色々なものがあるが、これらの課題はリンク誘導先で実際に発生しているトランザクション量を把握した場合に、その測定された量に応じてプラットフォームが自動的に機能するようなものは現時点において知られていない。仮に技術的に開発されていたとしても、その測定された量に応じて同プラットフォームが特にＳＥＯ機能をより発揮したり調整したりするようなものはなかった。前述のようにＳＥＯには様々な技術要素、ノウハウが必要であり、測定量に応じて従来は手動によって調整したり、操作せざるを得なかった。現時点広く知られているようなプラットフォームには、そのような自動操作を容易に実行させるようなプラットフォームも開発されていない。
【００３０】
しかし、ショッピングモール運営者のように自社のプラットフォームを運営し、その機能を同プラットフォーム利用者である出店者に使用させる場合、もしくはポータル運営者のように自社サイトへの集客力を利用して、出店各社の同サイトを経由して発生するトランザクションをできるだけ多くしようと考えるような者にとっては、トラッキング結果の測定量に密接にダイナミックに、スピードをもって素早く刻々と対応していく必要がある。
つまり、例えばあるショッピングモールの運営者にとって、ある時間帯に誘導先であるあるサイトにおいてある商品の買い物（トランザクション）が多量に入りつつある場合、運営者は素早く、あらゆるモールの機能を利用してその商品をより一層販売していくように努力する。特に、その商品をより検索エンジンの検索対象として上位に表示されるようにできるだけＳＥＯ技術を適用し、一層の販売機会を増やそうとするが、そのＳＥＯ技術を使って検索により表示される可能性を高めることを可能とするようなプラットフォームは、現時点知られていない。
まして、そうしたＳＥＯを可能とするプラットフォームが、特に外部の独立している誘導先のコマースサイトで実際に発生するトランザクションの測定量と自動的に連動して、最適化されていくようなそのようなシステムは未だにない。
従って、十分なプラットフォームがない中で手作業でＳＥＯを原始的に実行したりするしか方法がなかった。
【課題を解決するための手段】
【００３１】
そこで本発明は、かかる背景技術上の問題を解決するためになされたものである。
すなわち請求項１の発明は、インターネットやイントラネットを通じたクライエント端末と、
当該クライエント端末のリクエストに従い、HTMLで書かれたページを表示するためのＷＷＷ表示用サーバーと、
外部コマースサイト（Ａ）と内部コマースサイト（Ｂ）のコンテンツをトップページから自動的にたどりながら当該ホームページのリンク構造体系自体を分析し、かつ各ページ構造を自動分析しながら、同じ構造体系の静的ＨＴＭＬページの状態として自動的に取り込むことを可能とするクローリングシステムと、
外部とのトランザクションをトラッキングするために、表示トラッキングシステム、トランザクション・トラッキングシステム、プロキシーサーバー、トラッキングデータを分析保管するためのトラッキング分析サーバー、トラッキング分析データベースからなるトラッキング関連システム一式と、
クローリングによって当該外部コマースサイトから取得したり、もしくは当該コマースサイトからオンラインもしくはメディア（ＤＶＤ，ＣＤ−ＲＯＭ等）を利用してオフラインによって取得した、静的HTMLコンテンツをリンク体系を維持したまま保管するためのHTMLコンテンツデータベースと、
該HTMLコンテンツデータベースを元に都度最適な構造を有した最適化構造化HTMLコンテンツを保管するためのデータベースと、
最適構造化HTMLを生成するために動的コンテンツと都度生成されるべき静的コンテンツを統合的にコントロールするコントロールマネージャー、実際に最適なリンク体系を生み出しかつ最適なページ構成を生み出す為のＭａｋｅロボット、最適に構造化されて生成されるＨＴＭＬコンテンツを表示用サーバーに出力するＰｕｔロボットからなる構造化HTML生成システムと、
メールサーバー、アフィリエイトエンジンシステム、モバイルサーバー、Paid Listingサーバー、Alertシステム用サーバー、マルチメディア表示用システム、コールシステムからなる表示用サーバー群と
前記構造化HTML生成システム及びその他の当該表示用サーバー群に対して、トラッキング分析サーバーからの情報に基づき、ＳＥＯ（Search Engine Optimization）ルールデータベース及びマーケッテングルールデータベースに記録されているルールに基づき、自動的及び手動入力に従いマーケティング表示コントロールするための自動的に知的に判断し制御するシステムである自動インテリジェントコントロールシステムと、手動による指示を実行するためのプラットフォームである手動オペレーションプラットフォームを有するマーケッテングコントロールシステムとからなるIntegrated Intelligent ＳＥＯ Transaction Platform（「統合インテリジェントＳＥＯトランザクションプラットフォーム以下、当該トランザクションプラットフォームという）であり、
トラッキング結果に基づく分析内容に基づいて、自動的に自動インテリジェントコントロールシステムが機能し、最適なＳＥＯが実現できるように、既に記憶されているＳＥＯルールデータベースに従って、構造化HTML生成システムを自動的に作動させ、最適に構造化されたHTMLコンテンツ群を生成し、それを格納し、それに基づきWWW表示サーバーから当該トランザクションプラットフォームの運営するサイト上で出力することを可能とし、かつ同時に当該外部コマースサイトのコマース表示サーバーに戻すことにより当該外部コマースサイトにて最適ＨＴＭＬ構造化ホームページとして表示することを可能とすることを特徴とするシステム。
【００３２】
さらに請求項２の発明は、外部にあるコマースサイト（Ａ）と当該トランザクションプラットフォーム内部に保管されているコマースサイト（Ｂ）のサイト内部のコンテンツを平等に扱い、当該トランザクションプラットフォームの外にあっても、当該クローリング機能を活用することによって、HTMLコンテンツを同プラットフォーム内部に取り込み、ＨＴＭＬ構造化の対象とすることを特徴とするシステムである。
【００３３】
請求項３の発明は、当該トランザクションプラットフォームの外にあってもトラッキング用モジュールとトラッキングシステムが連動することによって、当該コマースサイトにおけるトランザクション量をプラットフォームが都度刻々と把握することが可能であり、そのトラッキング分析内容が即時にマーケティングコントロールシステムに伝達され、ルールに基づく自動操作もしくは手動の指示、命令に従いながら、その分析内容に基づいてマーケティング効果がもっとも上がるようにコントロールシステムが機能し、ＳＥＯが可能となるように最適な構造化ＨＴＭＬを生成することを可能とし、かつ同様に最適な変換を行い各種マルチメディアコンテンツを生成し各表示用サーバー群に対して送出することを特徴とするシステム。
【００３４】
請求項４の発明は、手動オペレーションを可能とする機能を有しつつも、特に実際のトラッキングデータを都度自動的に解析しながら、既に記憶されているＳＥＯに関するルールに従いながら、ＳＥＯを自動的に実行するために、最適構造化HTML生成を自動的に実行することを特徴とするシステムである。
【００３５】
請求項５の発明は、当該メールの開封率や、アフィリエイトサイトからの誘導数や発生トランザクション数や、携帯端末からのリスポンス率や、アラートシステムからの反応率やトランザクション率や、PDA,デジタルテレビなどのマルチメディア端末からの反応率、PＡＩD LISTINGに対する反応率等のマーケティングに拘わるデータを自動トラッキングしながら、検索エンジンにより多く検索対象となるように自動的に最適なHTML構造化を実行することが可能となることを特徴とするシステムである。
【００３６】
請求項６の発明は、逆に、自動的にＳＥＯが実行されWWW上で表示されるHTMLコンテンツの階層構造が自動的に変換されることに連動して、ルールに従って、メールやアラートシステムに表示されるべきマルチメディアコンテンツを自動的に変換することが可能であり、HTML上のコンテンツの状態と同じように変換された状態で、そのコンテンツは一旦マルチメディアコンテンツ対応データベースに格納された後に各種表示サーバー群に送出することを特徴とするシステムである。
【００３７】
請求項７の発明は、構造化HTML生成システムとトラッキング分析システムとマーケティングコントロールシステムが有機的密接に連携することによって、当該サイトの特定ページが外部検索エンジンに検索される可能性をより高めるために、動的ページ静的ページの最適な組み合わせを作り上げること、リンク体系をかえること、またはテンプレートを用いてページ構成を自動的に、もしくは人の介入による手動操作によって変更することが可能となることを特徴とするシステムである。
【００３８】
請求項８の発明は、関連するコマースサイトにおけるトランザクション量を測定するトラッキングシステムと連動して、従来のノウハウを元にルール化したものを蓄積しているルールデータベースに基づいて自動的及び手動的に、当該コマースサイトのリンク体系構造を変えたり、動的ページ、静的ページの混在する状態を変化させたり、テンプレートを適用するなどによってページ構成を変化させることにより検索エンジンによって検索対象となる可能性を高めることを可能とすることを特徴とするシステムである。
【００３９】
請求項９の発明は、クローリングシステム及び構造化ＨＴＭＬ生成システムによって外部コマースサイトの当該ホームページをＳＥＯの為に最適な構造化ＨＴＭＬに変換した後に、変換後の最適構造化ＨＴＭＬコンテンツを当該外部コマースサイトのコマース表示サーバーに戻すことで、当該サイトの表示を最適ＨＴＭＬ構造化ホームページの状態として表示することを可能とし、かつ構造化ＨＴＭＬ生成システムがＳＥＯの為にリンク体系を変換した場合に、外部コマースサイトにおける商品データベースに対して指示を出し、変換後のリンク体系と同じように動的ページ体系も変換することを可能とすることを特徴とするシステムである。
【発明の効果】
【００４０】
本発明によって、課題の一つである、「閉じたモールの欠点」が克服される。つまり、閉じたモールに参加することは、例えばコマースの運営者にとっては、自分のコンテンツを自社のホームページから取り出して、本発明におけるトランザクションプラットフォーム内部のデータベースに入れ、受注管理等を全て当該プラットフォームの中にあるトランザクション処理サーバーにて行わなければならないが、本発明においては当該トランザクションプラットフォームの利用が、外部に存在した状態のままの「外部コマースサイト」も可能である。
つまり、自動クローリングシステムにより、当該トランザクションプラットフォームから当該外部コマースのコンテンツを自動的に取得しそれをHTMLコンテンツサーバーに保管し、あたかも内部コマースサイトであるかのように、つまり外部も内部も全く同様に統一的に管理することができる。一端HTMLコンテンツデータベースに保管されたものを、「構造化HTML生成システム」は、最適な構造化HTMLに変換し、それをWWW表示用サーバーに出力することが可能となる。この機能によって、例えば、電子商取引の業者が自社のホームページ（外部コマースサイト）を運営し、自社の経理システムや在庫管理、配送管理等のロジスティックシステムとコマースシステムを連動して活用している場合においても、当該サイトのままに引続き電子商取引の事業を推進することが可能であり、一方、当該トランザクションプラットフォームに本発明にて可能となるやり方によって間接的に出店することが可能となり、外部にいたままで当該トランザクションプラットフォームの持つＳＥＯ技術のようなメリットを享受することが可能となる。
このことは非常に大きなメリットをもたらし、自社の外部にあるコマースが外にいるままで、もう一つ当該プラットフォーム内部のコマースサイトをもう一つ設けることがなく、当該トランザクションプラットフォームの例えばＳＥＯのような最新技術を活用することができることになる。
【００４１】
また本発明は、課題の一つである「オープンモデルの欠点」「トラッキングシステムの限界」の克服も可能である。つまり、通常のオープンモデルの場合、原則単純にリンクが中心となるソリューションであり、当該コンテンツが通常、外部のコマースサイトにある為、当該トランザクションプラットフォーム運営者がＳＥＯをする場合は本サイトを当該トランザクションプラットフォーム運営者がいじれるものではなく、あくまでも自社のリンク元となる部分のみを操作することが精一杯となり、ＳＥＯ対策は必然的に非常に限定的なものとなり効果は限られることになる。しかし、本発明のクローリング技術と構造化HTML生成システムを組み合わせることにより、外部コマースサイトのリンク体系をそっくり維持し、動的ページも一部もしくは全部を静的ページの状態にしたうえで、膨大な静的ページ体系を当該トランザクションプラットフォーム内部に保管することが可能となり、そのリンク体系とひもついたHTMLページを、ＳＥＯ最適化することによって、ＳＥＯを都度実施することが可能であり、一般的なオープン型つまりリンク型のモールの欠点が克服されることになる。
【００４２】
さらに、通常外部コマースとの当該トランザクションプラットフォームとのやり取りは、トラッキングシステムをリンク先の当該外部コマースサイト内部のトランザクション処理サーバー内部に埋め込むことによってトラッキングすることになるが、これはあくまでもトラッキングを目的とすることにとどまるのが通例であり、このトラッキング結果に基づくマーケティング機能を最大限に効率よく発揮することは、通常は人的判断、マニュアルの操作が必要とされるのが通例であった。仮に自動であったにせよ、それはアラートシステムやメールシステムと連動して、お知らせ等を行うことにとどまるのが既存のシステムの特徴であり、トラッキングのデータに自動連動しながら、ＳＥＯを自動的に最適化していくことは既存のシステムにはなかった。
【００４３】
本発明では、トラッキング結果を都度マーケティングコントロールシステムと連動しながら、特にＳＥＯについて最適な構造を自動的に変換することができるシステムであり、オープン型の欠点を補い、さらに通常のトラッキングシステムの限界を克服するものである。
【００４４】
本発明は、自社独立のホームページ、コマース運営者にとっての課題である「ＳＥＯ始め各種マーケティングのノウハウ活用が単独では困難」という問題を克服することができる。さらに、ＳＥＯにおいて「有力ページからのリンク」という点と通常大型システムによって実行される「構造化HTML生成システム」を単独のコマースサイトでは対応することが困難であるという課題を克服できる。
【００４５】
通常は自社のホームページを運営している者にとっては、例えば本発明における当該トランザクションプラットフォームを利用したようなショッピングモールに参加しその内部のコマースサイトを、自社外部ホームページに加えて２重運営することに伴う問題については、既述している通りである。しかし、本発明においては、単独で独立している外部コマースサイトにおいても、内部コマースサイトと同様に当該トランザクションプラットフォーム内部にコンテンツをおくことが可能であり、二重運営ではなく、飽く迄自社のホームページ、即ち外部コマースサイトの運営のみに気を配っていればいいということが可能となる。当該トランザクションプラットフォームを利用することによって、外部にいるままでＳＥＯ技術をトラッキングデータ取得分析時刻に大幅に遅れることがない状態で、自社ホームページの最適ＨＴＭＬ構造化が都度可能であり、かつ同時に当該トランザクションプラットフォーム運営者のサイト上に同様に最適構造化されたＨＴＭＬホームページを表示することが可能である。つまり自社のサイト自体の変換も可能であり、また当該トランザクションプラットフォームが運営するサイトに対する表示やさらにアフィリエイトサイトへの表示も可能となるように、自社が当該トランザクションプラットフォームを持たないのに構造化されたＨＴＭＬ体系を様々に表示していくことが可能である。
【００４６】
つまり、自社のホームページの運営のみに集中していれば、当該トランザクションプラットフォームに参画することによって、ＳＥＯ技術を適用したり、その他当該トランザクションプラットフォームに含まれている各種マーケッテングノウハウを都度適用することが可能となる。
【００４７】
外部コマースサイトにおいて本発明のようなプラットフォームの機能を利用しながら表示すべきホームページのコンテンツ内容、ページ構成が変換されるということを可能とするものがあったとしても、本発明以前においては表面上のページの変換が可能だというだけであって、表示の変換と同期をとって元々の商品データベースの内容を的確に変換するシステムは存在していない。
本発明の当該トランザクションプラットフォームにおいては構造化ＨＴＭＬ生成システムが要の一つであり、このシステムの大きな特徴は動的ページと静的ページの内容を矛盾なく作り上げていくことにある。即ち表面的にリンク体系やページ構成を変えることと矛盾なく同期をとりながら関連商品データベースの内容を変更し、当該商品データベースと連動して作られるべき動的ページ内容が変換された静的ページ内容と同じ内容になるように構成されている。
本発明によって従来課題であった動的ページと静的ページの統一性が始めて確保される。
【発明を実施するための最良の形態】
【００４８】
図１において、その中心にある、Integrated Intelligent ＳＥＯ Transaction Platform（以下当該トランザクションプラットフォームという）５１が、本発明の中核である。
外部コマースサイト（Ａ）は独立して運営している例えばコマースサイトのように、当該サイトで買い物やコンテンツダウンロード販売や資料請求、オークション等のいわゆるトランザクションが発生することを目的としているホームページである。外部コマースサイト運営者の端末２２によって、外部コマースサイト（Ａ）のサーバー内部にあるプログラムやコンテンツを操作することで、当該トランザクションを発生させることを目的としている。
【００４９】
当該コマースサイトは、運営者のクライエント端末２２を通して、コンテンツとして商品データベース１８に格納し、コマース表示サーバー１７を起動させ、当該ホームページ１６を動かし、そこで発生するトランザクションをトランザクション処理サーバー１９にて処理し、その結果を受注データベース２１にて記憶格納する。
トランザクション処理サーバー１９は、例えばショッピングサイトにおいては、バスケットを処理する部分であり、オークションにおいては入札・落札を処理する部分である。
【００５０】
このトランザクション処理サーバー１９に、当該トランザクションプラットフォーム５１に対してトランザクション量を都度連絡するためのトラッキング用モジュール２０を埋め込み、これにより当該プラットフォーム５１のＳＥＯ機能や多くのマーケティング機能と連動させることができる。つまり、このモジュール２０により、必要とされる信号をトランザクション量に応じて生成し発信することになる。
例えば、ショッピングサイトにおいては、受注金額をトランザクション量として発生させて、これを当該プラットフォーム５１に返信する。このトラッキング用モジュール２０は当該トランザクションプラットフォーム５１内部のプロキシー１５と連動しながら、トラッキング結果を当該トランザクションプラットフォーム５１に対して送信していく。
【００５１】
一方、内部コマースサイト（Ｂ）の部分は、当該トランザクションプラットフォーム５１内部に必要とされるサーバーやコンテンツをおき、この当該トランザクションプラットフォーム５１にてコマース等を運営するサイトのことである。  例えば、当該トランザクションプラットフォーム５１がショッピングモールの場合は、ショッピング機能を有している当該トランザクションプラットフォーム５１を借りる（ASP）ことで自社サイトとは別にショッピングモール上のコマースサイトを運営することになるが、逆に自社のサイトでショッピングやマーケティングに必要とされる機能を自分で全部用意する必要がなく、コマースを運営することができる。
【００５２】
内部コマースサイト運営者（Ｂ）は自社のクライエント端末３０を通して、コンテンツを当該トランザクションプラットフォーム５１内部の商品データーベース２８に入力、記憶させることになる。それがコマース表示サーバー２７と連動し、当該トランザクションプラットフォームの機能によって結果としてワールドワイドウェブ（以下WWWと呼ぶ。）表示用サーバー３１を通して、ＳＥＯ対象サイト３８に表示されることになる。当該処理サーバーに発生したトランザクションは、受注データベース２９に記憶保管されるが、運営者のクライアント端末３０からトランザクション処理サーバー２５にアクセスし、この内部コマースサイト（Ｂ）で発生するトランザクションを把握することができる。また、トランザクション処理サーバー２５で発生しているトランザクションを当該トランザクションプラットフォーム５１と連動させて都度把握しトラッキングするために、トラッキング用モジュール２６を当該トランザクション処理サーバー２５に埋め込む。当該モジュール２６は、プロキシー（Ｂ）２４を通して、当該トランザクションプラットフォーム５１に対してトランザクションを都度送信する。
【００５３】
内部コマースサイト（Ｂ）及び外部コマースサイト（Ａ）の両方とも、発生するトランザクションについてはプロキシー１５又は２４経由でトランザクショントラッキングシステム１３に送信する。表示トラッキングシステム１２は、ＳＥＯ対象サイト３８に対してどれだけのどのコンテンツに対してどのようにアクセスがあるかを刻々と測定するためのトラッキングシステムであり、WWW表示用サーバー３１を経由しながら都度測定している。
トランザクショントラッキングシステム１３は、内部コマースサイト（Ｂ）及び外部コマースサイト（Ａ）の両方から収集し続けているトランザクションに対するトラッキング結果を集計するシステムであり、この結果をトラッキング分析サーバー１０に送信する。
【００５４】
またトラッキングされたトランザクション結果は、トランザクショントラッキングシステム１３の処理によって、トランザクションデーターベース１４に記憶登録されることになる。
トラッキング分析サーバー１０の分析結果は、トラッキング分析データーベース１１に記憶保管される。
【００５５】
外部コマースサイト（Ａ）のコンテンツは、クローリングシステム５２によって、自動的にホームページ１６から集められ、HTMLコンテンツデータベース８に記憶、格納される。クローリングシステム５２は、一般的に外部のインターネットサイトに対して、ページ構成や内容などを自動的もしくは一部手動によって分析し、ＨＴＭＬ部分を集めることを可能とするシステムであり、当該トランザクションプラットフォーム５１において外部サイト（Ａ）を内部サイト（Ｂ）と同様にＨＴＭＬ化してデータベース内部に格納するために重要な役割を果たしている。クローリングシステム５２はロボット機能を持ち自動的に当該外部コマースサイト（Ａ）の内部に入りこみ、そのページのリンク体系をたどり、動的なページであっても都度表示しそれを解析して関係するデータを取り出すことが可能なシステムであり、結果として当該外部コマースサイトのリンク構造体系を維持したまま関連する全てのＨＴＭＬコンテンツを収集することができるシステムである。
【００５６】
外部コマースサイト（Ａ）については  クローリングシステム５２が機能することで、また内部コマースサイト（Ｂ）については最初から当該プラットフォーム５１内の商品データベース２８内部にＨＴＭＬコンテンツが保存されていることによって、これらコンテンツがＨＴＭＬコンテンツデータベース８内部に前述同様に保管される。
この場合外部コマースサイト（Ａ）と当該プラットフォーム運営者２２の合意と約束によっては、当該外部コマースサイト（Ａ）の商品データベース１８に格納されているコンテンツを、クローリングシステム５２による当該プラットフォーム側からの自動収集ではなくて、オンラインによって直接渡すことも可能であり、またはＤＶＤやＣＤ−ＲＯＭ等によるオフライン各種メディアによってデータを渡すことも可能であり、いずれの方法によっても一旦ＨＴＭＬコンテンツが当該プラットフォーム内部のＨＴＭＬコンテンツデータベースに格納された場合は、以後の操作については本発明の趣旨から全く外れるものではない。
【００５７】
一旦ＨＴＭＬの状態でＨＴＭＬコンテンツデータベース８内部に保存された後、構造化ＨＴＭＬ生成システム６によって、動的ページと静的ページをリンク体系を維持した状態で最適リンク体系及びページ体系を構造的に生成することができる。つまり、当該ホームページのリンク体系を、外部検索エンジンにより多く検索可能となる状態にするように、リンク構造を変えることが可能となる。当該構造化HTML生成システムにおいては、各種テンプレートも用意されていて、例えば、一旦保存しているHTMLコンテンツデータベース８内部のHTMLをより検索エンジンの検索対象とすることが可能となるように、あるテンプレートにはめ込むような形で新たにHTMLページを生成することも可能とするシステムである。
【００５８】
構造化HTML生成システム６は、マーケティングコントロールシステム１からの指示に従いながら、都度構造を変えてページを生成する。
例えば、コントロールシステム１から、ある単語に対してより検索対象となるようにページ構成を変えるように指示がでた場合、当該HTML生成システム６はその指示に従い、最適のページ構成、及びリンク体系に変えることが可能となる。
【００５９】
マーケティングコントロールシステム１は、外部コマースサイト（Ａ）及び内部コマースサイト（Ｂ）の双方におけるトランザクションが最大となるように、マーケティングルールデータベース４とＳＥＯルールデータベース５に含まれている従来の経験やノウハウやデータから割り出されたルールを参照しながら、自動的に知的に判断し制御するシステムである自動インテリジェントコントロールシステム３と、手動による指示を実行するためのプラットフォームである手動オペレーションプラットフォーム２を有している。
【００６０】
トラッキング分析サーバー１０により、外部及び内部コマースサイト（Ａ，Ｂ）におけるトランザクションがある既定のアクセス量やトランザクション量に比べて小さい、もしくは上回るようなことが起きた場合、前記ルールデータベース４，５に定められている方法により、例えば、あるメディア（携帯、アラートシステム、テレビ等端末、メール、アフィリエイトネットワーク等）へそのデータベースに定められている方法により、一層より多く出力、露出することを実行することが可能であり、さらに、ＳＥＯルールデータベースに記録されているＳＥＯに関わるルールにより当該トラッキング分析結果に応じて、より最適なＳＥＯを実行することが可能である。
【００６１】
前記ＳＥＯルールデータベース５には、例えば、外部コマースサイト（Ａ）及び内部コマースサイト（Ｂ）において、ある対象商品に対する受注が増えてきたと当該トラッキング分析結果で判断された場合、ある既定値以上にその値が増えたり減ったりした場合に、よりＳＥＯの効果を強めたり弱めたりすることをＳＥＯに関わるルールとして定めることができる。または、ある商品に対する注目が増加し、まだ受注は少なくても閲覧されたり表示されたりすることがある規定値よりも多いと表示トラッキングシステム１２において判断された場合において、その商品をより検索エンジンに表示される可能性を高めるためのＳＥＯに関するルールや、その商品直接ではなくても、その商品の所属するカテゴリーや関連商品等をより検索エンジンに検索される可能性を高めるためのルールがあらかじめ登録されている。
【００６２】
例えば、ある商品の受注情報がある既定値を超えるアクセス（例えば平均値の２倍になった場合とか、２分の１になった場合等）に、その商品を検索エンジンにできるだけ検索対象となるようにする、つまりＳＥＯを実行するようなことが求められるが、ルールとして仮に、そのような場合においては、当該商品及びその商品の所属するカテゴリー及び全ての関連商品などを、例えば当該サイトにおける最もアクセスのあるページ（大抵の場合はトップページ）の目立つ最適な場所にリンクすることが求められるが、そうしたルールが、ＳＥＯルールデータベース５に保管されており、当該トラッキングデータから自動的に判断するところは、当該マーケティングコントロールシステム１にあり、その制御結果に基づいて都度構造化HTML生成システム６が起動し作動することになる。
【００６３】
前記トランザクションプラットフォーム５１は、例えば一般的に知られているようなショッピングモールなどとして用いられることがあり、その場合、マーケティング機能として各種メディアへ出力や表示することを可能とするように、表示サーバー群を有している。つまり、メールを送るためのメールサーバー３２、アフィリエイトサイトへ表示・出力するためのアフィリエイトサーバ３３、携帯電話やPDA端末などのモバイル端末へ出力するためのモバイル用サーバー３４、特に成果報酬型のPaid Listingに表示、出力するためのPaid Listing用サーバー３５、クライアントの端末に通知するAlertシステム用サーバー３６、テレビやその他マルチメディア端末に表示することを可能とするマルチメディア表示システム３７、自動的に電話をかけることを可能とするためのコールシステム５０からなる表示サーバー群を有している。
【００６４】
マーケティングコントロールシステム１は、トラッキング分析データに基づき、ＳＥＯだけではなく、表示サーバー群によって各種の表示方法にとって、より一層効果的に露出が図られるように動作することが可能である。
トラッキングデータに基づき、その各種表示方法においてどのように表示するかに関する規定が、マーケティングルールデータベース４に保存されていて、そこにノウハウがデータベースの形で保存されている。
マーケティングコントロールシステム１は、自動インテリジェントコントロールシステム３を中心としてその都度当該データベース４，５を参照しながら、分析データの結果に基づき、各々の表示方法において最適の表示方法を実行する。  当該コントロールシステム１は、構造化ＨＴＭＬ生成システム６と連動して、各種表示方法について各々最適のコンテンツを作りだすが、これを各種マルチメディアコンテンツ対応データベース９に保存する。当該マーケティングコントロールシステム１は、当該各種マルチメディアコンテンツ対応データベース９から、各々の表示方法について作成され格納されたコンテンツを都度取り出し、これを前述表示サーバー群に対して送出し、当該表示サーバー群において表示、送出を実行せしめる。
【００６５】
例えば、トラッキング分析結果、外部コマースサイト（Ａ）もしくは内部コマースサイト（Ｂ）においてある商品に対する表示もしくは受注が急増しているような状態があった場合、もし仮にルールデータベース４，５に色々な表示方法においてより一層露出することを既定していたと仮定すると、構造化ＨＴＭＬ生成システム６は最適なリンク体系を生み出したり、または最適なページ構成を生み出したりするが、それと矛盾せず同期をとる形で、マーケティングコントロールシステム１は、各種マルチメディア対応のコンテンツを生み出しこれを当該データベース９に格納する。そしてルールデータベースに基づく当該マーケティングコントロールシステムから当該マルチメディアコンテンツは表示サーバー群に送出、表示される。
【００６６】
トランザクションプラットフォーム５１の運営者（以下運営者）は、オペレーション端末４９を通して、トラッキングデータに基づき手動で都度システムに対して指示を与えることができる。つまり、マーケティングコントロールシステム１中の、手動オペレーションプラットフォーム２に対して、手動で都度指示を与えることができる。これは自動インテリジェントコントロールシステム３の機能の不足部分を補うと共に、自動制御では不十分なところを修正したり、あるいはデータベース内部にノウハウとして保存してあるルールを敢えて逸脱せざるを得ない場合等において、運営者が表示方法を変えたいと判断した場合、当該オペレーション端末を通して操作が可能となる。
【００６７】
例えば、トランザクションプラットフォーム５１が持つ自動ＳＥＯ機能がサイト構造をあるリンク体系に切り替えることを選択したとしても、運営者がそれとは異なるリンク体系を選ぶということを判断し決断した場合、当該オペレーション端末を通し手動オペレーションプラットフォーム２を手動で操作が手動することが可能である。
トランザクションプラットフォーム５１は、ＷＷＷ表示用サーバ３１及び各種表示サーバ群の機能として、クライアントに対しては、通常のコンピュータ端末４０における検索エンジンサイト３９の表示、クライアント端末におけるメール表示４１、クライアント端末におけるアフィリエイトサイトの表示４２、クライアントの携帯端末４３、クライアントのデスクトップアプリケーション４４、クライアントのＭｙ  Ｐａｇｅ等のアラート表示部分４５、クライアント端末のPaid Listing表示４６、テレビ、ＰＤＡ、ゲーム機等のマルチメディア端末４７、クライアント電話端末４８に対しても、コンテンツを表示することが可能である。当該トランザクションプラットフォーム５１においては、ＳＥＯによりリンク体系を変えた場合でも、各種マルチメディア表示方法の全てが矛盾しないように同期がとれることを特徴としている。
【００６８】
外部コマースサイト（Ａ）のページの体系（５３）においては、例えば、トップページのみが静的なＨＴＭＬコンテンツで、それ以下の下層のページは全て都度プログラムとデータベースによって生み出される動的ページである場合を示している。
一方、構造化ＨＴＭＬ生成システム６によって最適に動的ページと静的ページの混在の形でホームページのリンク体系を構成しなおすことが可能であり、例えばページ体系（５４）は、当該外部コマースサイト（Ａ）が全て静的ページに変換した形の例である。
【００６９】
つまりあらかじめ全て静的なページを生み出し、これをクローリングシステム５２によって当該プラットフォーム５１内にＨＴＭＬコンテンツをデータベースに保存しておき、全て静的ページで表示することが可能である。
内部サイト（Ｂ）も同様に、体系（５４）に示すようにあらかじめ静的ページにしておきサイト自体を静的ページのリンク体系にしておくことが可能である。
また外部コマースサイト（Ｂ）の要望によって、また当該トランザクションプラットフォーム５１との約束によっては、当該トランザクションプラットフォーム５１からＳＥＯ最適に構造化されたＨＴＭＬ構造のホームページ６の状態で自社のホームページを表示したい場合があるが、この場合は最適構造化ＨＴＭＬデータベース７に格納されたリンク体系の構造化ＨＴＭＬを構造化ＨＴＭＬ生成システム６によって都度最適な構造化ＨＴＭＬに変換したものを、外部コマースサイト（Ａ）のコマース表示サーバー１７に戻し、最適ＨＴＭＬ構造化ホームページ（５６）として表示することが可能である。
【００７０】
若しくは外部コマースサイト（Ａ）が動的ページを中心とする体系（５３）であった場合、静的ＨＴＭＬ構造体系（５６）と混在させることによって、ユーザーにとって真に便利なサイトを構築することが可能となる。
トランザクションプラットフォーム５１はこのように必ずしも自社運営のサイト３８に表示するだけではなくて、最適構造化した状態で外部コマースサイト（Ａ）に戻すことで、当該外部コマースサイト（Ａ）から見た場合は自社に構造化ＨＴＭＬ生成システム６がない場合でも、当該トランザクションプラットフォーム５１を利用することが可能で結果としてＳＥＯの為に最適な状態に変換された構造化ホームページに切り替えることが可能となる。
【００７１】
さらに当該外部コマースサイト（Ａ）のホームページ１６において、当該トランザクションプラットフォーム５１によって最適ＨＴＭＬ構造化ホームページ（５６）と変換されて表示されるケースにおいて、そのようにページ体系が変換されるのであればそれと矛盾ないように動的ページに関する情報、即ち商品データベースに１８に格納されるべき情報、データも変更を加えなくてはならないが構造化ＨＴＭＬ生成システム６は的確に当該データベースへ１８の指示を行うことを可能とする。本発明の特徴の一つを実現しているのはこの機能であり、構造化ＨＴＭＬ生成システム６による静的ページと動的ページの無矛盾性を確保するために関連データベースと生成されるべき構造化ＨＴＭＬリンク体系、ページ体系との統一的制御を可能にする当該トランザクションプラットフォーム５１の同機能は極めて重要である。
【００７２】
図２は、構造化ＨＴＭＬ生成システム６の働きの一部を示す図である。
つまり、どのように当該システム６があるサイトにおける静的ページと動的ページの最適な混在状態を生み出すか、つまり動的静的ページの統一制御を可能にするかを示す図である。
図２−１は、あるサイトにおいて、本来データベースの内容と連動しながら都度プログラムによって動的ページＰ’ｎｍ（ｎ，ｍは自然数）が生み出されるのが本来の姿であるケースを想定している。それを当該構造化ＨＴＭＬ生成システム６の機能によって、都度生成されるべき動的ページＰ’ｎｍをあらかじめ全部静的なＨＴＭＬページＰｎｍに生成しておき、これを動的体系と全く同じようにリンク体系にしているのが図２−２の状態である。
【００７３】
構造化ＨＴＭＬ生成システム６によって、この動的、静的と状態の違う２つの体系に対して、一部分を静的ページＰｎｍの状態にしておき、一部分を動的ページＰ’ｎｍの状態のままにしておくことによって、動的ページＰ’ｎｍと静的ページＰｎｍの混在する状態にしている。リソース等を考えると必ずしも全部静的ページにすることが良い訳ではなく、動的静的ページの混在のバランスは求められる目的、環境、状況によって色々考えられる。
しかし、例えば、検索エンジンでの検索を考えた場合、通常ＨＴＭＬコンテンツの静的ページの方が都度データベースとプログラムの連動により生成される動的ページＰ’ｎｍより検索対象になりやすいということが広く知られている。その為、わざわざ１枚ずつデータに応じてあらかじめ静的ＨＴＭＬコンテンツＰｎｍを生成しておき、これをＷＷＷ表示用コンテンツサーバー上においてホームページを構成するやり方がある。
【００７４】
このことによって、その静的ページＰｎｍのコンテンツはより検索エンジン対象となる可能性が高くなる。それのみならず、この静的ページＰｎｍにおきなおすことにより、例えばそのページへの多量のトラフィックをともなうアクセスがあったとしても、そうしたアクセスのたびにデータベースを起動させてプログラムによって動的に都度ページを生成する動的ページＰ’ｎｍに比べて、はるかに単純にシステムを構成することが出来るメリットがある。つまり、データベースに対する負荷が少なくなり、かつ、動的生成に比べてページ生成をしなくても済み、単純にＨＴＭＬの静的なページＰｎｍを表示するだけですむというメリットがある。
一方、例えばアクセスがそれほど多量にあるわけではないが、あまりに複雑な場合分けに応じたページの表示が必要なケースもある。アクセスもあまりないのに、静的なページＰｎｍを多量に生み出しておく必要もないケースがある。その場合は元のサイト通り、もしくは通常通り、そうしたページに対しては動的ページＰ’ｎｍのままでサイトを構成することが望ましいことがある。
【００７５】
そのような理由で、図２−３のように、動的、静的ページの最適な構成というのが考えられるが、その混合の具体的構成は、状況、求められる目的、アクセス数等によって変わってくる。図２−３においては、こうした混合状態の一例を示している。
例えば、Ｐ’２３は動的ページのままになっているが、このP’２３ページに多量のトラフィックが予想されるようなケースでは、このページに対応するHTMLページ、つまり静的ページP23をあらかじめ生成しておき、これを図２−３と同じリンク体系の中にあらかじめ置いておくことが望まれる。
あるいは、動的ページP’３４にある商品が非常に話題になりそうなケースで、このページP’３４を検索エンジンの検索対象になるようにすることが望まれる場合において、先述の通り、検索エンジンは静的なHTMLページを優先順位高く検索することが通例であることから、この動的ページP’３４を静的なHTMLページP３４に変換しておくことが望ましい。
【００７６】
さらに、そのホームページの当該サイト内における重要度を上げるためには、より重要なページからのリンクがあることが望ましいため、トップページにリンク施したり、或いはサイト内部でアクセス数の多いページに対してリンクしたりすること、又は、当該サイトが参加しているアフィリエイトネットワークを通してアフィリエイトサイトへリンクを多くはることなどが求められる。
本発明においては、構造化HTML生成システム６がこのような動的ページＰ’ｎｍ、静的ページＰｎｍを混在させたまま、ＳＥＯの必要性等に応じて、自在にリンク体系を変えたり、この動的静的ページの混在構成を自在に変えたりすることが可能となっている。
【００７７】
その構成変更がルールに基づき自動的に行なわれる場合と、さらに運営者の判断と自由意志によって変更を行なうことが可能である。また、その構成変更を行ないながら、先述の通り、当該ページの重要性を高めてより検索エンジンの検索対象になるようにするために、例えば関連するサイト（アフィリエイトサイト等）からのリンクを増やしたり、または当該ページのアクセス数を増やすことが検索エンジンの対象によりなる可能性を高くすると判断した場合においては、本発明に詳細記述のマーケティングコントロールシステムの機能によって、多くの表示方法によって当該ページの露出をより一層強めることが可能となる。
【００７８】
図２において、本発明中の重要な役割を担う構造化HTML生成システム６の働き、及び静的・動的ページの最適化混在状態について詳細に説明した。
一方、図１において、外部コマースサイト（Ａ）が本来トップページ以外全部動的ページで構成されるサイトであることを体系（５３）で示していたが、それが当該トランザクションプラットフォーム５１によって体系（５４）のように全て静的なHTMLページＡｎｍに変換した様子をあらわしている。また内部コマースサイトにおいては、最初から全部静的ページでＢｎｍ構成されている体系（５５）の例を示している。
【００７９】
そこで、図３には、実際に本発明によって、より検索エンジンの検索対象ページになる確率を上げるための一つの重要な方法として、このコマースサイト（Ａ）、（Ｂ）の例を用いてリンク体系の変換について説明している。
例えば、図３−１において  ページAn2をよりＳＥＯ対象としたい、つまりこのページAn2をより検索エンジンに検索される可能性を高めたい場合において、本発明を通してリンク体系を変えるという例を図３−２に示している。このケースの場合は、Ａｎ２ページを、本サイトの中で最も重要なページA1にリンクさせる。さらに、かなり重要なページであるA21,A22,A23というページから当該ページAn2へリンクさせる。このようなやり方をすることにより、当該ページの重要度を上げることが可能であり、それによって検索エンジンの検索対象となる可能性をより高めることが可能である。
【００８０】
図３−３において、内部コマースサイトのホームページBn1をより一層検索エンジンの検索対象となるようにしたいと考えたとする。
本発明の当該トランザクションプラットフォームを用いることで、リンク体系を図３−４のように変えることが可能である。つまり、Bn1をトップページB1から直接リンクさせ、かつ、B21,B22,B23のような重要性の高いページからリンクさせている。こうすることで、検索エンジンの検索対象となる可能性がより高めることが可能である。
【００８１】
図1〜図３に加えてさらに、本発明を用いたリンク体系の組換えに関わる一例を示す。例えば図４においては、「’」をふってあるページが動的ページであり、「’」がないページが静的なページである。いずれにせよP31,P32,Pn2,Pn3とP’３４、P’３５、P’ｎ５をＳＥＯする、つまり、検索対象によりなるようにしたいと仮定する。
【００８２】
図４−２はその一例であり、図１のトランザクションプラットフォーム５１の機能を用いることで、ＳＥＯ対象としたい動的ページＰ’ｎｍについては予め静的ページＰｎｍとし、さらにその変換したページＰｎｍを含む静的なページ体系を、ＳＥＯしたいページの優先度に従って、リンクを色々変えてしまう一例を示している。
つまり、重要度が高いページをより重要度の高いページからリンクされるように変換していく。こうすることで、本発明の一部機能を用いることで、動的ページを自動的に静的ページにして、その静的ページの体系を色々組替えることで、ページの被検索可能性を変化させることが可能である。
【００８３】
図５は、各データベースにおいて保管されている外部コマースサイト（Ａ）の状態について分かりやすく示したものである。つまり本図において、本来当該トランザクションプラットフォーム５１の外にある外部コマースサイト（Ａ）は動的な状態であり、動的ページの状態で商品データベース（Ａ）１８に保管されている。当該トランザクションプラットフォーム５１のクローリングシステム５２が外部ホームページ１６のトップページから自動的に当該ホームページ１６を解析し商品データベース１８からデータを収集するが、このときにデータは全て静的なページとしてＨＴＭＬコンテンツデータベース８内部に保管される。
【００８４】
トランザクションプラットフォーム５１内部のＨＴＭＬコンテンツデータベース８に記録された静的ページのリンク体系に対して、構造化ＨＴＭＬ生成システム６は、マーケッテングコントロールシステム１の指示に従いＳＥＯのために自動的にリンク体系の自動変換とページ構成の変換を自動的に行う。
その結果、リンク体系が変換された状態及びページ構成が変更された状態が構成され、それが最適化構造化ＨＴＭＬデータベース７内部に記録される。
本来ホームページ１６である外部コマースサイト（Ａ）がある場合に、当該トランザクションプラットフォーム５１の機能によって自動的に最適なＨＴＭＬ構造を持つホームページに変換され、そのページが元の外部コマースサイトに戻されそこで表示されることを想定した場合（Ａ´）と、または当該トランザクションプラットフォーム５１の運営者サイトで表示される場合（Ａ´´）のケースを示している。
【００８５】
つまり、クローリングシステム５２によって自動的に外部コマースサイト（Ａ）のホームページ１６を解析して当該プラットフォーム５２内部に取り込み（５２→１８）、これをＨＴＭＬコンテンツデータベース８に格納し、それを構造化ＨＴＭＬ生成システム６のＭＡＫＥロボットが最適化構造化ＨＴＭＬに変換し、最適化構造ＨＴＭＬデータベース７に保管すると同時に、最適化構造ＨＴＭＬと矛盾のない形で外部データベース１８内部の商品データ等を変換する指示を出す。ＭＡＫＥロボットによってつくられた最適構造化ＨＴＭＬを表示用サーバーに出すためのプットロボットに送出する。
【００８６】
プットロボットは的確にＨＴＭＬコンテンツを指定された表示用サーバーに送出する。指示によっては、当該外部コマースサイトのコマース表示サーバーに戻し、最適ＨＴＭＬ構造化ホームページとして表示される（Ａ’）。
また指示により、当該プラットフォームの運営者サイトに表示することも可能であり（Ａ´´）、その場合は当該プラットフォームのＷＷＷ表示用サーバーに送出する。
この図においては当該トランザクションプラットフォーム５１のクローリングシステム５２の機能によってプラットフォーム５１側から外部コマースサイトのＨＴＭＬコンテンツをリンク体系ごと収集することになるが、例えば当該トランザクションプラットフォーム５１に対して外部コマースサイトが契約その他によって自らのコンテンツを、オンラインによって、もしくはＤＶＤやＣＤ−ＲＯＭなどの様々なオフラインのメディアを用いることによって手渡していくことも充分ありうる。
【００８７】
かかる場合は、人の手を介在するがＨＴＭＬコンテンツデータベース８に外部コマースサイトのＨＴＭＬコンテンツをリンク体系ごと保管することが可能であり、その場合においても本発明の趣旨はなんら変化しない。
【産業上の利用可能性】
【００８８】
自社のウェブサイトにいかに集客するか、いかに多くの人に見てもらうかということは、特にそのウェブサイト内部でトランザクションを発生させたり、露出を多くすることを生業としているようなウェブサイトにおいては非常に重要なことである。そのためには、メールを出して人を誘導したり、アフィリエイトサイトから誘導したり、Alertシステムにより誘導したり、Paid Listing広告から誘導したり、携帯電話のようなモバイル環境から誘導したり、あるいはパーソナルコンピュータ（以下PCと呼ぶ）とは異なるテレビなどのようなマルチメディア媒体から誘導したり、色々な手段が考えられている。
しかし、検索エンジンという非常に便利でインターネット等のネットワークにおいて非常に本質的なウェブサイトからの人の誘導ということは、極めて重要なことである。従って、自社のウェブサイトのコンテンツをいかに検索エンジンにより多く検索可能な状態にするかということが大切な技術、ノウハウになってくる。
【００８９】
しかし、既述のように、自社で独立して努力しても、そうしたノウハウは一つではなく１社で自在に操られるほどに単純ではなく、やはり多くのノウハウの集合体でもあり、そうしたノウハウを持つプラットフォームに参加するだけで、できれば自動的に検索エンジンの検索対象になれるのであれば、非常に楽でかつ得をすることが明らかであり、そうしたＳＥＯ効果を持つプラットフォームの出現が長く待たれていた。
また、あるサイトが既に既にシステムを構成して運営している場合、そのシステムを抜本的な変更を加えたりすることなく当該サイトをできるだけ検索エンジンの検索対象としたい、つまりＳＥＯを実行したいという希望をかなえるようなプラットフォームが待たれていた。
【００９０】
確かに、プラットフォームとしてショッピングに必要な機能を「場貸し」の感覚で提供して、多くのショップを集めてあるポータルサイトをつくり、その集客力を利用する形の、いわゆるショッピングモールは広く昔から知られている。そのようなモールにおいては、確かに、コンテンツをHTML化するなどして、検索エンジンの検索対象にできるだけなるようにするなど、ＳＥＯを意識したつくりをしているものもあるが、まだ非常に原始的なものにとどまっていた。
例えば、あるページをより一層検索対象とするために、手動によってリンクの体系をかえる、つまり例えば、トップページにリンクしてみるなどの原始的なオペレーションは可能な場合もあった。しかし、自動的に実行されたり、刻々とページの重要度に応じてリンク体系が自動的に変化したりする機能などは到底なかった。
【００９１】
また、大きな問題として、そうしたＳＥＯはじめとするマーケッティング機能を有するショッピングモールにおいても、本発明で言うところの内部コマースサイトのみを対象とするものが通例であった。つまり、当該プラットフォームの上にコンテンツを載せていないものは、到底ＳＥＯなど無理であった。そのＳＥＯ機能を使って、自社のコンテンツを検索エンジンの検索対象にしたいのであれば、そのプラットフォームとは別に独立して外部にある自社のホームページから切り離した形で、そうしたプラットフォームを持っているショッピングモールに自社コンテンツを載せなければならなかった。そうした２重性の問題は電子コマースが益々発展してくる昨今、より一層大きくなっていることは先述の通りである。
本発明においては、こうした問題を抜本的に解決しているため、非常に画期的な効果をもたらす。すなわち外部コマースサイトは自社の商品データベースをそのままにした状態で、つまり、ショッピングモール等のプラットフォーム運営業者のサイトに別個のデータを置いたりすることなく、また同様に受注処理を実行する通称バスケット機能や受注管理データベースを自社のホームページ上のみに一本化することが可能であり、わざわざ自社の受注システムとは別なデータベースであるショッピングモール内部のバスケットを用いなくてもよくなっている。  また、例えば動的ページのようにデータベースを基本にシステム構築しているところは大幅なシステム変更を加えることなく、自社サイトのままで当該トランザクションプラットフォームを用いることでＳＥＯ対策として最適ＨＴＭＬ構造化を実行することができる。
【００９２】
従来のリンクだけを主目的としたようなショッピングモールとも全く異なっている。上記詳細に説明しているように、ページのリンク体系を自在に変化することはＳＥＯの重要な技術要素であるが、リンク型のショッピングモールにおいてはＳＥＯ対象となる部分はごくわずかなコンテンツであり、それに対して操作してもＳＥＯに関しては効果がでるには程遠く、自社のホームページそのものをいじることにくらべ決定的な効果は全くないに等しい。まして、従来のリンク型のショッピングモールには、外部コマースサイトに応じて発生するトランザクション量のトラッキングデータに応じて自動的にＳＥＯを実行する手段も方法さえ全く提供されてないのが通例である。
本発明においては、当該トランザクションプラットフォームの外にいる外部コマースサイトでさえ、内部コマースサイトと全く同様に、ページの体系を維持した状態で、都度最適なHTML構造化をすることによって、最大限度ＳＥＯ効果をあらしめることが可能であり、かつ、トラッキングシステムと、知的な自動機能とノウハウの集積であるルールデータベースを有機的に発揮し、かつＳＥＯ以外の各種表示方法との連携を実現するための「マーケティングコントロールシステム」の機能によって、自動的にそのHTML構造化と同時に各種表示方法における最適な同期をとって実行することが始めて可能となった。
【００９３】
さらに本発明により外部コマースサイトを最適な構造化ＨＴＭＬページリンク体系に変化したものを当該外部サイト上で表示したいという場合も当然に可能となる。その場合注意すべきは既存技術では問題であった点であるが、表面上ＨＴＭＬページのみを変換するだけでは、商品データベースに基づいて都度生み出す動的ページ体系とのずれが生じてしまうが、本発明においてはＨＴＭＬコンテンツを変換すると同時に同期をとって商品データベースも更新、変化させていくために、生成される静的ページと矛盾なく動的ページの体系も保たれていくことが可能となる。外部コマースサイトが本発明の当該プラットフォームを利用すると、自社のホームページだけに集中しながらも、自社のホームページに対してＳＥＯになるように最適な構造化を自動的もしくはマニュアルによって実行できて、そこと本来の商品データベースが連動している仕組みが可能となる。
【００９４】
上記で述べた効果について付言すれば、当該トランザクションプラットフォームの運営者サイトに載せることなど全くせずに飽く迄も自社サイトの運営に集中していたいと考えた場合は、ＳＥＯを実行するためには通常大掛かりなシステム変更が必要となる。たとえ構造化ＨＴＭＬ生成システムを自社で導入するだけでも大変な作業と費用が発生するが、本発明はクローリング技術等を用いたり、生成した静的ページ体系と同期を取る形で受注データベースへの変更を自動的に実行する機能まで提供されているために、ほとんど自社の従来の動的ページ体系を中心とするサイト運営システム、体制を変更することなく、抜本的なサイト構造変換を実行できるという大きな効果を本発明はもたらす。
複雑な各種マーケティング表示方法をコントロールするためには、ノウハウを蓄積したルールデータベースの内容とトラッキングシステムを相当に有機的に連携しなければならず、このマーケティングコントロールシステムの役割は重要であり、このシステムの機能によって、本発明の当該トランザクションプラットフォームは従来にない知的、自動的、主体的な統合的なマーケティング力を発揮することができる。例えば、ＳＥＯを自動的に実行したことにより、ページ体系を自動的に変換したとすると、携帯サイトもやはりそれに応じて変換したりする必要もあるが、本システムの機能によってそうした同期を多次元的にとることも可能となる。
【００９５】
つまり、本発明による当該トランザクションプラットフォームを用いることで、当該トランザクションプラットフォームの運営者の通常の目的の一つであるところのトランザクション量の増加をこうした自動的、有機的なマーケティング機能を駆使することによって可能となる。さらに、このプラットフォームを利用してコマースを実行する外部コマースサイト運営者にとっても、外部にいながらにして、豊富なノウハウの集合であるショッピングモールの機能を利用しながら、最大限にトランザクションの増加を狙うことができる。
つまり本発明は今後求められていくマーケティング機能を豊富に具備し、なかでも複雑なＳＥＯに関わる抜本的な解決策を提供しながら、外部、内部のコマースサイトにおいて発生していくトランザクション量をトラッキングしながらそれに対する対応策を一部自動的に一部人の介入により刻々と手を打っていくことを可能とするトランザクションプラットフォームである。色々な表示チャネルに応じて、それを統合的に管理しつつ、検索エンジン対策を徹底していくことを主眼とおく統合的なプラットフォームは未だかつて無かったが、今後電子商取引のがより発展していく状況においては、こうしたプロットフォームの重要性はより一層ますことは確実である。
【図面の簡単な説明】
【００９６】
以下本発明を図示された実施例に従って詳細を説明する。
図１は、本発明にかかるシステムを示す概略図である。
図２は、HTML構造化と動的静的ページ統一制御システムの働きを示す概念図である。
図３は、本発明に関して、実際にＳＥＯ技術の発揮により、該当するホームページのリンク体系を変換することを示す図である。
図４は、ＳＥＯによるページ体系組み換えの例である。
図５は、クローリングシステムと構造化ＨＴＭＬ生成システムとの動作について示すものである。
図６は、構造化ＨＴＭＬ生成システムと外部コマースサイトホームページ（Ａ）と最適ＨＴＭＬ構造化ホームページ（Ａ´）と当該プラットフォーム運営者サイト上のホームページ（Ａ´´）の関係を示すものである。
【符号の説明】
【００９７】
１          マーケティング・コントロール・システム
２          手動オペレーションプラットフォーム
３          自動インテリジェント・コントロール・システム
４          マーケティング・ルール・データベース
５          ＳＥＯルール・データベース
６          構造化ＨＴＭＬ生成システム
７          最適化構造化ＨＴＭＬデータベース
８          ＨＴＭＬコンテンツ・データベース
９          各種マルチメディア・コンテンツ対応データベース
１０        トラッキング分析サーバー
１１        トラッキング分析データベース
１２        表示トラッキングシステム
１３        トランザクション・トラッキング・システム
１４        トランザクション・データベース
１５        プロキシー（Ａ）
１６        ホームページ（Ａ）
１７        コマース表示サーバー
１８        商品データベース（Ａ）
１９        トランザクション処理サーバー（Ａ）
２０        トラッキング用モジュール
２１        受注データベース（Ａ）
２２        外部コマースサイト（Ａ）の端末
２４        プロキシー（Ｂ）
２５        トランザクション処理サーバー
２６        トラッキング用モジュール
２７        コマース表示サーバー
２８        商品データベース（Ｂ）
２９        受注データベース（Ｂ）
３０        内部コマースサイト（Ｂ）の端末
３１        ＷＷＷ表示サーバー
３２        メールサーバー
３３        アフィリエイト・エンジン・システム
３４        モバイル用サーバー
３５        Paid Listing用サーバー
３６        Alertシステム用サーバー
３７        マルチメディア用サーバー
３８        ＳＥＯ対象サイト
３９        検索エンジンサイト
４０        クライアント端末
４１        クライアント端末
４２        クライアント端末
４３        クライアント携帯端末
４４        クライアントデスクトップアプリケーション
４５        クライアント・マイページ
４６        クライアント端末のPaid Listing表示
４７        マルチメディア端末
４８        クライアント電話端末
４９        運営者のオペレーション端末
５０        コールシステム
５１        インテグレテッド・インテリジェントＳＥＯトランザクション・プラットフォーム
５２        クローリング・システム
【図１】
0004729479.tif 000002
【図２】
0004729479.tif 000003
【図３】
0004729479.tif 000004
【図４】
0004729479.tif 000005
【図５】
0004729479.tif 000006
【図６】
0004729479.tif 000007